(57)【要約】【課題】送風装置を備えた機器において、メンテナンス作業等を目的としたルーバーの開放時における安全性を確保することを目的とする。【解決手段】送風装置５を内蔵する本体１と、前記送風装置５の通気口６に対向して設置するルーバー３を備え、前記ルーバー３は閉止位置と開放位置の間の所定位置において、それ以上の開放を規制する開閉規制杆１０を備え、開閉規制杆１０には係止状態をロックする可動杆１２を備えたことにより、メンテナンスに必要十分な位置で、ルーバー３を停止保持することができるため、メンテナンス時に送風装置５を停止することを忘れた場合でも、作業の安全性を確保することができる。【選択図】図２
2007292380.tif 000002
【特許請求の範囲】
【請求項１】
送風装置を内蔵する本体と、前記送風装置の通気口に対向して設置するルーバーを備え、前記ルーバーは送風装置の通気口を隠蔽する閉止位置と通気口を開放する開放位置との間で揺動開閉可能に枢支し、前記閉止位置と開放位置との間の規制位置において、ルーバーのそれ以上の開放を規制する開閉規制杆を備え、前記開閉規制杆はルーバーの裏面に設置し先端に設けた係止片が本体に係止することにより開閉規制を行う固定杆と、固定杆にねじで螺合し係止片の係止状態をロックするための可動杆を備え、ねじを緩めることにより、可動杆が固定杆に備えたガイドに沿ってスライドすることにより、前記係止片と本体との係止状態のロックが解除される構成の通気口部材。
【請求項２】
ルーバーの裏面にフィルターを着脱自在に収容した請求項１に記載の通気口部材。
【請求項３】
ルーバーの下端を枢支し、規制杆を左右両側部近傍に設置した構成の請求項１または２に記載の通気口部材。
【請求項４】
請求項１〜３のいずれか１項に記載の通気口部材を使用した脱臭機。
【発明の詳細な説明】
【技術分野】
【０００１】
本発明は送風装置を備えた機器における、ルーバー開放時の安全を確保する通気口部材に関するものである。
【背景技術】
【０００２】
従来、この種の送風装置を備えた機器は、送風する空気中の埃を捕集するフィルターの清掃を一般の使用者が実施することが多く、前記メンテナンス時の安全性を確保するための機能を備えることが必須の要件となっている。メンテナンス時の安全確保の方法としては、メンテナンス時には電源を切断して作業を行うのが基本であるが、通電したままでメンテナンス作業を開始した場合には、送風装置の通風口に設けた通気口部材を取り外した時点で、通気口部材の着脱を検知して送風装置の通電を停止することにより安全性を確保している（例えば、特許文献１参照）。
【特許文献１】特開平１１−８３０９５号公報
【発明の開示】
【発明が解決しようとする課題】
【０００３】
しかしながら、前記従来の構成では、安全性確保のために専用のスイッチを設ける必要があり、構造が複雑になり、生産性およびコストが悪化するという課題を有していた。また、修理を行う場合においては、ルーバーを開放状態で送風装置の運転状態を確認する必要性あり、このような場合従来の構成では確認しにくいという課題もあった。
【０００４】
本発明は、前記従来の課題を解決するもので、送風装置を備えた機器において、メンテナンス作業等を目的としたルーバーの開放時における安全性の確保を簡単な構成で提供することを目的とする。
【課題を解決するための手段】
【０００５】
前記従来の課題を解決するために、本発明の通気口部材は、送風装置を内蔵する本体と、前記送風装置の通気口に対向して設置するルーバーを備え、前記ルーバーは閉止位置と開放位置との間の所定位置において、ルーバーのそれ以上の開放を規制する開閉規制杆を備え、開閉規制杆には係止状態をロックする可動杆を備えた構成としたものである。
【０００６】
これによって、メンテナンスに必要十分な位置で、ルーバーを停止保持することができるため、メンテナンス時に送風装置を停止することを忘れた場合でも、作業の安全性を確保することができる。
【発明の効果】
【０００７】
本発明の通気口部材は、簡単な構成でルーバーの必要以上の開放を規制し、メンテナンス作業における安全性を確保することができる。
【発明を実施するための最良の形態】
【０００８】
第１の発明は送風装置を内蔵する本体と、前記送風装置の通気口に対向して設置するルーバーを備え、前記ルーバーは送風装置の通気口を隠蔽する閉止位置と通気口を開放する開放位置との間で揺動開閉可能に枢支し、前記閉止位置と開放位置との間の規制位置において、ルーバーのそれ以上の開放を規制する規制杆を備え、前記開閉規制杆はルーバーの裏面に設置し先端に設けた係止片が本体に係止することにより開閉規制を行う固定杆と、固定杆にねじで螺合し係止片の係止状態をロックするための可動杆を備え、ねじを緩めることにより、可動杆が固定杆に備えたガイドに沿ってスライドすることにより、前記係止
片と本体との係止状態のロックが解除される構成とすることにより、ルーバーが規制位置で規制されている状態において、本体外部から送風装置に手が触れることがなく、メンテナンスに必要十分な位置でルーバーを停止保持し、固定杆に螺合した可動杆により停止保持状態をロックするとともに、ねじを緩めることによりロック状態を解除可能とすることとなり、メンテナンス時に送風装置を停止することを忘れた場合でも、通常のメンテナンス作業の安全性を確保することができるとともに、送風装置のメンテナンス等のルーバーを完全に開放して実施する作業も簡単に行うことができる。
【０００９】
第２の発明は、特に、第１の発明のルーバーの裏面にフィルターを着脱自在に収容することにより、ルーバーを規制位置まで開放した状態で、フィルターの着脱を行うことが可能となりフィルターの清掃や交換を容易にかつ安全に行うことができる。
【００１０】
第３の発明は、特に、第１または第２の発明において、ルーバーの下端を枢支し、規制杆を左右両側部近傍に設置した構成とすることにより、ルーバーは下端を回動軸として回動するため、ルーバーの上辺と本体間に開口が出現することとなり、開口の上方からフィルターの着脱等を容易にかつ安全に行うことができる。
【００１１】
第４の発明は、特に、第１〜３のいずれか１つの発明の通気口部材を脱臭機に使用することにより、脱臭機のルーバーはメンテナンスに必要十分な位置で、ルーバーを停止保持することができることとなりフィルターの清掃や交換等のメンテナンスを容易にかつ安全に行うことができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における通気口部材を使用した脱臭機の斜視図を示すものであり、図２は通気口部材の閉止状態であるルーバーが閉止位置にある状態の断面図を示し、図３は通気口部材の規制状態であるルーバーが規制位置にある状態の断面図を示し、図４は通気口部材の開放状態であるルーバーが開放位置にある状態の断面図を示し、図５（ａ）、（ｂ）は規制状態の開閉規制杆の詳細な平面図と側面図示し、図６（ａ）、（ｂ）は開放状態の開閉規制杆の詳細な平面図と側面図を示すものである。
【００１４】
図１に示すように、本実施の形態の脱臭機は略直方体の本体１の前面下方に、複数の通気用のスリット２を有する樹脂成型品からなるルーバー３を揺動開閉自在に備えており、本体１の前面上端部には脱臭機の運転を操作するスイッチや表示装置を備えた操作部４が配置してある。
【００１５】
図２に示すように、本体１の内部には、下部にクロスフロータイプの送風装置５が設置してある。送風装置５の前面は外気を吸引する吸気口６となっており、ルーバー３を通過した外気を吸引できるようになっている。また、送風装置５の上部には脱臭触媒７が斜めに配置してあり、送風装置５から送った空気が広い面積の脱臭触媒７を通過できる構成となっている。また、本体１の上面後部には脱臭触媒７を通過した空気を排出する排気口８が設置してある。
【００１６】
ルーバー３の裏面には空気中の埃を捕集するための不織繊維で構成したフィルター９がスリット２の全面をカバーする範囲で設置してあり、フィルター９は図３に示すようにルーバー３の上方より着脱自在となっている。また、ルーバー３の裏面の上部には、両側端部近傍に後方に突出した開閉規制杆１０が設置してある。
【００１７】
開閉規制杆１０の基本構成としては、ルーバー３と一体で成型した固定杆１１に金属性の可動杆１２をねじ１３で螺合した構成となっている。
【００１８】
図５（ａ）、（ｂ）、図６（ａ）、（ｂ）に詳細な構成を示すように、固定杆１１はルーバー３の裏面より後方に突出した略板状で、先端部には側方に突出した形状の係止片１１ａが、略中央部にはねじ受け孔１１ｂが、元の部分には中方に突出したガイド１１ｃと１１ｄが一体で形成してある。
【００１９】
可動杆１２は金属板を板金加工して形成したものであり、先端部には中方に突出したロック部１２ａと、略中央部にはねじ１３を螺入するねじ孔１２ｂと、が一体で形成してある。
【００２０】
図５（ａ）、（ｂ）は、固定杆１１と可動杆１２をねじ１３で螺合固定した状態を示すものであり、固定杆１１の位置決め突起１１ｅが可動杆１２の端面１２ｃに当接することにより、可動杆１２のロック部１２ａが所定の位置に固定でき、ロック部１２が係止孔１ｂに当接し、係止ロック状態とする構成となっている。
【００２１】
また、図６（ａ）、（ｂ）はねじ１３を緩めて可動杆１２をスライドさせた状態を示すものであり、ねじ１３を緩めると可動杆１２は位置決め突起１１ｅに乗り上げガイド１１ｄに沿ってスライドさせることができる構成となっている。
【００２２】
図２に示すように、ルーバー３を本体１に閉止した閉止位置にある状態では、開閉規制杆１０は本体１の前面部に設けた係止穴１ｂを貫通してほぼ全体が本体１内に収容する構成となっている。
【００２３】
以上のように構成された通気口部材を使用した脱臭機について、以下その動作、作用を説明する。
【００２４】
まず、脱臭機の本体１の操作部４のスイッチを操作することにより、送風装置５が稼動し、本体１の前面に設置したルーバー３より外気の吸引を開始する。吸引した外気中に含まれる埃はフィルター９で捕集し、きれいな空気が送風装置５を通過して脱臭触媒７へ送られ、脱臭触媒７を通過中に空気中に含まれる臭気を分解除去し、排気口８より臭気を除去した空気を室内に放出する。以上の動作を繰り返して実施することにより室内の空気を循環し、臭気を除去することができる。
【００２５】
上記、動作を長時間行うことにより、フィルター９には埃が蓄積し空気の流通が悪くなるため、一定時間使用後にフィルター９の清掃が必要となる。
【００２６】
フィルター９の清掃時は、ルーバー３を手前に引っ張ることにより、図３に示すようにフィルター３は下辺を支点として上辺が手前に出るように揺動し規制位置まで開放し、ルーバー３と本体１前面との間に開口が出現し、開口からルーバー３の裏面に設置したフィルター９を取り出し、清掃をすることができる。
【００２７】
上記規制位置で規制した状態においては、開閉規制杆１０の係止片１１ａは係止孔１ｂ側部の本体に係止することにより、上記開口からフィルター９の着脱が可能な必要最小限度の位置でルーバー３の開放を規制し、それ以上開放できないようになっており、作業前に電源を切り忘れて送風装置５の運転が継続されている場合でも、作業者が送風装置５に触れることがないようになっている。
【００２８】
また、送風装置５の修理等でルーバー３を完全に取り外して開放する必要がある場合は
、図６（ａ）、（ｂ）に示すように、固定杆１１と可動杆１２を螺合しているねじ１３を緩めることにより、可動杆１２は固定杆１１の位置決め突起１１ｅに乗り上げガイド１１ｃ、１１ｄに沿わせてスライドさせると可動杆１２のロック部１２ａは係止片１１ａの中方に位置しなくなる。つまりロック解除状態となり、そのとき固定杆１１に図に示す矢印Ａの方向に力を加えると、樹脂の弾性により係止片１１ａは矢印Ａの方向、すなわち脱臭機の中央の方向に動かすことができ係止孔１ｂから引き出すことが可能となり、ルーバー３は大きい角度で開放することができるので、その状態でルーバー３を上方に引き上げると、ルーバー３下辺の枢支片３ａは枢支穴１ａから離脱し、ルーバー３を本体１から完全に取り外すことができる。
【００２９】
また、開放状態から閉止状態に復帰させる場合には、固定杆１１と可動杆１２を図６（ａ）、（ｂ）に示す状態で、ねじ１３を適度に締め付けた半締めの状態で、可動杆１２をガイドに１１ｄに沿わせてロック状態の位置までスライドさせるだけなので容易に復帰させることができる。
【００３０】
以上のように、本実施の形態の通風口部材を使用した脱臭機は、ルーバーの裏面にルーバーと一体で成型した固定杆と金属性の可動杆をねじで螺合した開閉規制杆を設置し、開閉規制杆の係止片を本体に係止する構成とすることにより、ルーバーと本体との開口をフィルターの着脱に必要最小限度の開口に規制することができ、本体外部から送風装置に手が触れることがなく、フィルターの清掃時に脱臭機の電源を切り忘れた場合においても、作業の安全性を確保することができる。
【００３１】
また、開閉規制杆を固定杆と可動杆をねじで螺合する構成としたことにより、固定杆と可動杆を螺合したねじを緩めるだけで、規制状態を解除することができるとこととなり送風装置のメンテナンス等のルーバーを完全に開放して実施する作業を簡単に行うことができる。
【産業上の利用可能性】
【００３２】
以上のように、本発明にかかる通気口部材は、送風装置を停止することを忘れた場合でも、作業の安全性を確保することが可能となるので、各種回転装置のメンテナンス用の扉などの用途にも適用できる。
【図面の簡単な説明】
【００３３】
【図１】本発明の第１の実施の形態における通気口部材を使用した脱臭機の斜視図
【図２】同通気口部材を使用した脱臭機の通気口部材が閉止位置の状態の断面図
【図３】同通気口部材を使用した脱臭機の通気口部材が規制位置の状態の断面図
【図４】同通気口部材を使用した脱臭機の通気口部材が開放位置の状態の断面図
【図５】（ａ）同通気口部材を使用した脱臭機の規制状態の開閉規制杆の平面図（ｂ）同側面図
【図６】（ａ）同通気口部材を使用した脱臭機の開放状態の開閉規制杆の平面図（ｂ）同側面図
【符号の説明】
【００３４】
１  本体
３  ルーバー
５  送風装置
６  吸気口（通気口）
９  フィルター
１０  開閉規制杆
１１  固定杆
１１ａ  係止片
１１ｃ、１１ｄ  ガイド
１２  可動杆
１３  ねじ
【図１】
2007292380.tif 000003
【図２】
2007292380.tif 000004
【図３】
2007292380.tif 000005
【図４】
2007292380.tif 000006
【図５】
2007292380.tif 000007
【図６】
2007292380.tif 000008